(57)【要約】【課題】成分、使用方法、使用上の注意などの必要な情報を常に表示した状態としながら、消費者の好みや室内空間の雰囲気に合わせて製品のデザインを選択可能な容器入り製品を提供する。【解決手段】容器に製剤を封入した容器入り製品１００であって、製品表示情報１１が印刷された容器本体１０と、広告情報２１が印刷されたシュリンクフィルム２０と、を備え、容器本体１０をシュリンクフィルム２０で被覆したとき、製品表示情報１１を視認可能な透過領域２２がシュリンクフィルム２０に設けられている。【選択図】図１
2019206396.tif 000002
【特許請求の範囲】
【請求項１】
容器に殺虫剤、防虫剤、又は忌避剤を封入した容器入り害虫防除製品であって、
製品表示情報が印刷された容器本体と、
広告情報が印刷されたシュリンクフィルムと、
を備え、
前記容器本体を前記シュリンクフィルムで被覆したとき、前記製品表示情報を視認可能な透過領域が前記シュリンクフィルムに設けられており、
前記シュリンクフィルムには、その一部が取り除かれることで当該シュリンクフィルムを取り外し易くするための段差が形成されている容器入り害虫防除製品。
【請求項２】
容器に殺虫剤、防虫剤、又は忌避剤を封入した容器入り害虫防除製品であって、
製品表示情報が印刷された容器本体と、
広告情報が印刷されたシュリンクフィルムと、
を備え、
前記容器本体を前記シュリンクフィルムで被覆したとき、前記容器本体の製品表示情報が隠れる場合でも同じ情報を確認できるように、前記シュリンクフィルムにも前記製品表示情報が印刷されており、
前記シュリンクフィルムには、その一部が取り除かれることで当該シュリンクフィルムを取り外し易くするための段差が形成されている容器入り害虫防除製品。
【請求項３】
前記容器本体において、前記製品表示情報は、前記容器本体の高さ方向に延伸する垂線に沿うように印刷されている請求項１又は２に記載の容器入り害虫防除製品。
【請求項４】
前記容器本体において、前記製品表示情報が印刷されていない領域に図柄等表示情報が印刷されている請求項１〜３の何れか一項に記載の容器入り害虫防除製品。
【請求項５】
前記シュリンクフィルムにおいて、前記透過領域は、前記容器本体の前記製品表示情報が印刷されている領域よりも大きく構成されている請求項１に記載の容器入り害虫防除製品。
【請求項６】
前記製品表示情報は、商品名、特長、成分、効能、使用方法、使用上の注意、製造者情報、及び製品識別情報からなる群から選択される少なくとも一つである請求項１〜５の何れか一項に記載の容器入り害虫防除製品。
【請求項７】
前記広告情報は、商品名、図柄、模様、特長、成分、効能、使用方法、使用上の注意、製造者情報、及び製品識別情報からなる群から選択される少なくとも一つである請求項１〜６の何れか一項に記載の容器入り害虫防除製品。
【請求項８】
前記図柄等表示情報及び前記広告情報が共に文字を含む場合、前記図柄等表示情報に含まれる文字は、前記広告情報に含まれる文字よりも小さく構成されている請求項４に記載の容器入り害虫防除製品。
【請求項９】
前記広告情報は害虫の図柄を含み、前記図柄等表示情報は害虫の図柄を含まない、又は前記広告情報に含まれる前記害虫の図柄より小さいサイズの害虫の図柄を含む請求項４に記載の容器入り害虫防除製品。
【請求項１０】
前記容器本体は、前記殺虫剤、前記防虫剤、又は前記忌避剤が貯留される貯留部と、前記殺虫剤、前記防虫剤、又は前記忌避剤を放出する放出部とを備え、
前記シュリンクフィルムで被覆された容器本体から当該シュリンクフィルムを剥離する場合において、前記貯留部と前記放出部とを個別に露出させることを可能とするミシン目が、前記シュリンクフィルムに形成されている請求項１〜９の何れか一項に記載の容器入り害虫防除製品。
【請求項１１】
前記シュリンクフィルムにおいて、前記広告情報は前記貯留部を被覆する領域に印刷されている請求項１０に記載の容器入り害虫防除製品。
【発明の詳細な説明】
【技術分野】
【０００１】
本発明は、容器に製剤を封入した容器入り製品に関する。
【背景技術】
【０００２】
エアゾール製品、スプレー製品、ボトル製品、缶製品などの容器入り製品は、スーパーマーケットやドラッグストア等の店頭では、消費者の注目を惹くように派手で目立つデザインとすることが望ましい場合がある。それと同時に、容器入り製品には、成分、使用方法、使用上の注意などの必要な情報を常に表示しておく必要がある。
【０００３】
従来の容器入り製品として、表面がシュリンクフィルムで覆われた缶があった（例えば、特許文献１を参照）。特許文献１に記載されている缶は、その表面に色や絵柄が付されているものであるが、開封前は缶表面がシュリンクフィルムで覆われているため、色や絵柄は隠れて見えないようになっている。そして、使用者がシュリンクフィルムを破ると、缶表面の色や絵柄が露出する。
【先行技術文献】
【特許文献】
【０００４】
【特許文献１】特開平３−１７６３６０号公報
【発明の概要】
【発明が解決しようとする課題】
【０００５】
エアゾール製品、スプレー製品、ボトル製品、缶製品などの容器入り製品は、室内で使用されることが多いため、室内空間に置いたときに違和感のないデザインが好まれる傾向がある。
【０００６】
この点に関し、特許文献１の包装缶は、缶を覆っているシュリンクフィルムを剥がせば、缶に付されている色や絵柄が露出し、缶のデザインを変更することができる。ところが、このシュリンクフィルムは大部分が不透明であるため、成分、使用方法、使用上の注意などの必要な情報がシュリンクフィルムに印刷されている場合、消費者が購入後にシュリンクフィルムを剥がすと当該情報も同時に消失することになる。一方、缶の側に上記の必要な情報を印刷した場合、開封前は缶表面がシュリンクフィルムで覆われているため、消費者は購入時に当該情報を視認できないという問題がある。
【０００７】
本発明は、上記問題点に鑑みてなされたものであり、成分、使用方法、使用上の注意などの必要な情報を常に表示した状態としながら、消費者の好みや室内空間の雰囲気に合わせて製品のデザインを選択可能な容器入り製品を提供することを目的とする。
【課題を解決するための手段】
【０００８】
上記課題を解決するための本発明に係る容器入り製品の特徴構成は、
容器に製剤を封入した容器入り製品であって、
製品表示情報が印刷された容器本体と、
広告情報が印刷されたシュリンクフィルムと、
を備え、
前記容器本体を前記シュリンクフィルムで被覆したとき、前記製品表示情報を視認可能な透過領域が前記シュリンクフィルムに設けられていることにある。
【０００９】
本構成の容器入り製品によれば、製品の販売時においては、シュリンクフィルムに印刷されている広告情報により消費者の注目を惹くことができる。また、消費者は、容器本体に印刷されている製品表示情報をシュリンクフィルムに設けられている透過領域を介して視認することができる。一方、製品の使用時においては、消費者は、好みや室内空間の雰囲気に応じてシュリンクフィルムを剥離することで容器のデザインを選択することができる。その際、製品表示情報は容器本体側に印刷されているため、シュリンクフィルムの剥離とともに消失することがなく、常に表示しておくことができる。
【００１０】
上記課題を解決するための本発明に係る容器入り製品の特徴構成は、
容器に製剤を封入した容器入り製品であって、
製品表示情報が印刷された容器本体と、
広告情報が印刷されたシュリンクフィルムと、
を備え、
前記容器本体を前記シュリンクフィルムで被覆したとき、前記容器本体の製品表示情報が隠れる場合でも同じ情報を確認できるように、前記シュリンクフィルムにも前記製品表示情報が印刷されていることにある。
【００１１】
本構成の容器入り製品によれば、シュリンクフィルムに広告情報と製品表示情報とが印刷されているため、製品の販売時に容器本体の全体がシュリンクフィルムで覆われていても、広告情報により消費者の注目を惹くことができるとともに、製品表示情報についても視認することができる。製品の使用時においては、消費者は、好みや室内空間の雰囲気に応じてシュリンクフィルムを剥離することで容器のデザインを選択することができる。その際、製品表示情報は容器本体側にも印刷されているため、シュリンクフィルムの剥離とともに消失することがなく、常に表示しておくことができる。
【００１２】
本発明に係る容器入り製品において、
前記容器本体において、前記製品表示情報は、前記容器本体の高さ方向に延伸する垂線に沿うように印刷されていることが好ましい。
【００１３】
本構成の容器入り製品によれば、容器本体側の製品表示情報が当該容器本体の高さ方向に延伸する垂線に沿うように印刷されていれば、容器本体をシュリンクフィルムで被覆する際に位置合わせがし易く、シュリンクフィルムの透過領域を容器本体側の製品表示情報に容易に合わせることができる。
【００１４】
本発明に係る容器入り製品において、
前記容器本体において、前記製品表示情報が印刷されていない領域に図柄等表示情報が印刷されていることが好ましい。
【００１５】
本構成の容器入り製品によれば、容器本体側の製品表示情報が印刷されていない領域に図柄等表示情報が印刷されていれば、シュリンクフィルムを剥離したときに図柄等表示情報が露出し、製品のデザイン性を高めることができる。
【００１６】
本発明に係る容器入り製品において、
前記シュリンクフィルムにおいて、前記透過領域は、前記容器本体の前記製品表示情報が印刷されている領域よりも大きく構成されていることが好ましい。
【００１７】
本構成の容器入り製品によれば、シュリンクフィルムの透過領域を容器本体側の製品表示情報が印刷されている領域よりも大きくしておくことで、容器本体をシュリンクフィルムで被覆するときに多少の位置ずれが生じても、容器本体側の製品表示情報をシュリンクフィルムの透過領域を介して確実に視認可能な状態にすることができる。
【００１８】
本発明に係る容器入り製品において、
前記製品表示情報は、商品名、特長、成分、効能、使用方法、使用上の注意、製造者情報、及び製品識別情報からなる群から選択される少なくとも一つであることが好ましい。
【００１９】
本構成の容器入り製品によれば、製品表示情報として上記の必要な情報が表示されているため、特に、殺虫剤、防虫剤、忌避剤等の薬剤の容器として好適に使用することができる。
【００２０】
本発明に係る容器入り製品において、
前記広告情報は、商品名、図柄、模様、特長、成分、効能、使用方法、使用上の注意、製造者情報、及び製品識別情報からなる群から選択される少なくとも一つであることが好ましい。
【００２１】
本構成の容器入り製品によれば、広告情報として上記の各情報が表示されているため、販売時に消費者の注目を惹き易く、それと同時に消費者に商品購入のための判断材料を提供することができる。
【００２２】
本発明に係る容器入り製品において、
前記図柄等表示情報及び前記広告情報が共に文字を含む場合、前記図柄等表示情報に含まれる文字は、前記広告情報に含まれる文字よりも小さく構成されていることが好ましい。
【００２３】
本構成の容器入り製品によれば、図柄等表示情報に含まれる文字が広告情報に含まれる文字より小さいものであれば、シュリンクフィルムを剥離したときに図柄等表示情報に含まれる文字があまり目立たず、製品のデザイン性を損なうことがない。
【００２４】
本発明に係る容器入り製品において、
前記広告情報は害虫の図柄を含み、前記図柄等表示情報は害虫の図柄を含まない、又は前記広告情報に含まれる前記害虫の図柄より小さいサイズの害虫の図柄を含むことが好ましい。
【００２５】
本構成の容器入り製品によれば、販売時には広告情報に含まれる害虫の図柄によって消費者の注目を惹くことができ、購入後にシュリンクフィルムを剥離すれば、害虫の図柄が無くなる又は目立たなくなるので、室内の雰囲気を乱すことがない。
【００２６】
本発明に係る容器入り製品において、
前記製剤は、殺虫剤、防虫剤、又は忌避剤であることが好ましい。
【００２７】
本構成の容器入り製品によれば、容器本体に製剤として殺虫剤、防虫剤、又は忌避剤を封入することで、好適な殺虫製品を構成することができる。
【００２８】
本発明に係る容器入り製品において、
前記容器本体は、前記製剤が貯留される貯留部と、前記製剤を放出する放出部とを備え、
前記シュリンクフィルムで被覆された容器本体から当該シュリンクフィルムを剥離する場合において、前記貯留部と前記放出部とを個別に露出させることを可能とするミシン目が、前記シュリンクフィルムに形成されていることが好ましい。
【００２９】
本構成の容器入り製品によれば、容器本体の全体がシュリンクフィルムで覆われた状態で販売されている製品であっても、ミシン目に沿って放出部側のシュリンクフィルムのみを剥離することができるので、貯留部側のデザインについては使用者の好みや室内空間の雰囲気に応じて選択することができる。
【００３０】
本発明に係る容器入り製品において、
前記シュリンクフィルムにおいて、前記広告情報は前記貯留部を被覆する領域に印刷されていることが好ましい。
【００３１】
本構成の容器入り製品によれば、ミシン目に沿って放出部側のシュリンクフィルムのみを剥離しても、貯留部側のシュリンクフィルムに広告情報が残るので、貯留部側のシュリンクフィルムをさらに剥離するか否かを選択することで、広告情報を好む消費者／好まない消費者の両方のニーズに応えることができる製品となる。
【図面の簡単な説明】
【００３２】
【図１】図１は、本発明の第一実施形態に係る容器入り製品の斜視図である。
【図２】図２は、図１に示した容器入り製品の側面の分解展開図である。
【図３】図３は、本発明の第二実施形態に係る容器入り製品の斜視図である。
【図４】図４は、図３に示した容器入り製品の側面の分解展開図である。
【図５】図５は、本発明の第三実施形態に係る容器入り製品の斜視図である。
【図６】図６は、構成例１に係る殺虫エアゾール製品の側面の分解展開図である。
【図７】図７は、構成例２に係る殺虫エアゾール製品の側面の分解展開図である。
【図８】図８は、構成例３に係る殺虫エアゾール製品の側面の分解展開図である。
【発明を実施するための形態】
【００３３】
以下、本発明の容器入り製品に関する実施形態について説明する。ただし、本発明は、以下に説明する実施形態や図面に記載される構成に限定されることを意図しない。
【００３４】
＜第一実施形態＞
図１は、本発明の第一実施形態に係る容器入り製品の斜視図である。図２は、図１に示した容器入り製品の側面の分解展開図である。第一実施形態に係る容器入り製品は、例えば、エアゾール製品、スプレー製品、ボトル製品、缶製品などが挙げられるが、図１では、容器入り製品として、ゴキブリ用の殺虫エアゾール製品１００を例示している。殺虫エアゾール製品１００は、その内部に封入された殺虫剤、防虫剤、及び忌避剤等の製剤を噴射剤とともに害虫に向けて噴射することで害虫を殺虫するものであり、容器本体であるエアゾール缶１０と、エアゾール缶１０の表面を被覆するシュリンクフィルム２０とを備える。
【００３５】
〔容器本体〕
図１に示すように、容器本体であるエアゾール缶１０は、製剤が貯留される貯留部としての耐圧容器１０ａと、製剤を放出する放出部としての噴射ボタン１０ｂとを備える。エアゾール缶１０（耐圧容器１０ａ）には、図２に示すように、製品表示情報１１が印刷されている。製品表示情報１１とは、商品名、当該製品の特長、成分、効能、使用方法、使用上の注意、製造者情報、製品識別情報（バーコード、ＱＲコード（登録商標）等）などの情報である。製品表示情報１１は、当該製品の購入者が必要とする情報であるため、常に視認可能な状態とされている。製品表示情報１１は、図２に示すように、エアゾール缶１０の高さ方向に延伸する垂線Ｙに沿うように印刷されていることが好ましい。これは、後述するシュリンクフィルム２０の位置合わせを容易にするためである。
【００３６】
エアゾール缶１０において、製品表示情報１１が印刷されていない領域には図柄等表示情報１２が印刷されている。図柄等表示情報１２には、主に図柄や模様に関する情報（本実施形態の場合、ジグザグ状の幾何学模様）が含まれているが、図柄や模様以外に文字などの情報（本実施形態の場合、製造者情報）が含まれていてもよい。図柄等表示情報１２は、室内空間の雰囲気を乱さないように落ち着いたデザインに構成されることが好ましい。
【００３７】
〔シュリンクフィルム〕
シュリンクフィルム２０は、エアゾール缶１０に被せた状態で加熱すると、フィルム全体が収縮してエアゾール缶１０の表面に密着する。シュリンクフィルム２０の素材としては、ポリスチレン（ＰＳ）、ポリ塩化ビニル（ＰＶＣ）、ポリエチレン（ＰＥ）、ポリエチレンテレフタレート（ＰＥＴ）、ポリプロピレン（ＰＰ）などの熱可塑性樹脂が用いられる。
【００３８】
図２に示すように、シュリンクフィルム２０には、広告情報２１が印刷されている。広告情報２１とは、当該製品の販売時に消費者の注目を惹かせるための情報であり、商品名、図柄、模様などの情報が含まれる。広告情報２１には、これらの情報の他に、エアゾール缶１０に印刷されている製品表示情報１１と同じ情報（すなわち、商品名、製品の特長、成分、効能、使用方法、使用上の注意、製造者情報、製品識別情報など）が含まれていてもよい。なお、シュリンクフィルム２０の広告情報２１が印刷されている領域は、図柄や模様等が全体に印刷されている場合は不透明となるが、当該領域の一部に印刷を行うことで透明ないし半透明の領域を残しておくことも可能である。
【００３９】
シュリンクフィルム２０において、広告情報２１が印刷されていない領域は、透明ないし半透明な透過領域２２として形成されている。透過領域２２は、エアゾール缶１０の表面がシュリンクフィルム２０で被覆されている状態で、当該シュリンクフィルム２０を通してエアゾール缶１０側に印刷されている製品表示情報１１を視認できる位置に設けられる。このような形態でシュリンクフィルム２０に透過領域２２を設ければ、製品の販売時においては、シュリンクフィルム２０に印刷されている広告情報２１により消費者の注目を惹くことができるとともに、エアゾール缶１０の製品表示情報１１を確実に視認することができる。一方、製品の使用時においては、消費者は、好みや室内空間の雰囲気に応じてシュリンクフィルム２０を剥離することで、殺虫エアゾール製品１００のデザインを選択することができる。その際、製品表示情報１１はエアゾール缶１０側に印刷されているため、シュリンクフィルム２０の剥離とともに消失することがなく、常に表示された状態となっている。
【００４０】
シュリンクフィルム２０の透過領域２２は、エアゾール缶１０の製品表示情報１１が印刷されている領域よりも大きく構成することも可能である。例えば、図２において、シュリンクフィルム２０の透過領域２２の幅Ｄ１を、エアゾール缶１０の製品表示情報１１の幅Ｄ２より若干大きく構成すると、エアゾール缶１０をシュリンクフィルム２０で被覆するときに多少の位置ずれが生じても、エアゾール缶１０側の製品表示情報１１をシュリンクフィルム２０の透過領域２２を介して確実に視認することができる。
【００４１】
＜第二実施形態＞
図３は、本発明の第二実施形態に係る容器入り製品１０１の斜視図である。図４は、図３に示した容器入り製品１０１の側面の分解展開図である。この第二実施形態においても、容器入り製品１０１として、耐圧容器１０ａと噴射ボタン１０ｂとを備えた容器本体としてのエアゾール缶１０と、エアゾール缶１０の表面を被覆するシュリンクフィルム２０とを備えたゴキブリ用の殺虫エアゾール製品１０１を例示している。
【００４２】
〔容器本体〕
第二実施形態において、図３及び図４に示す容器本体としてのエアゾール缶１０は、第一実施形態で説明した図１及び図２に示すエアゾール缶１０と同様の構成を有する。従って、容器本体に関する詳細な説明は省略する。
【００４３】
〔シュリンクフィルム〕
第二実施形態において、シュリンクフィルム２０の特性及び素材は、第一実施形態で説明したシュリンクフィルム２０と同様であるため、特性及び素材に関する詳細な説明は省略する。
【００４４】
図４に示すように、シュリンクフィルム２０には、広告情報２１及び製品表示情報２３が印刷されている。広告情報２１は、第一実施形態で説明したものと同様である。製品表示情報２３は、エアゾール缶１０に印刷されている製品表示情報１１と同様である。このように、第二実施形態では、一枚のシュリンクフィルム２０に広告情報２１と製品表示情報２３とが印刷されているため、製品の販売時にエアゾール缶１０の全体がシュリンクフィルム２０で覆われていても、広告情報２１により消費者の注目を惹くことができるとともに、製品表示情報２３についても視認することができる。製品の使用時においては、消費者は、好みや室内空間の雰囲気に応じてシュリンクフィルム２０を剥離することでエアゾール缶１０のデザインを選択することができる。その際、製品表示情報２３と同じ製品表示情報１１がエアゾール缶１０側にも印刷されているため、シュリンクフィルム２０の剥離とともに消失することがなく、常に表示しておくことができる。
【００４５】
＜第三実施形態＞
図５は、本発明の第三実施形態に係る容器入り製品１０２の斜視図である。この第三実施形態においても、容器入り製品１０２として、耐圧容器１０ａと噴射ボタン１０ｂとを備えた容器本体としてのエアゾール缶１０と、エアゾール缶１０の表面を被覆するシュリンクフィルム２０とを備えたゴキブリ用の殺虫エアゾール製品１０２を例示している。
【００４６】
第三実施形態においては、シュリンクフィルム２０にミシン目Ｘが形成されており、当該ミシン目Ｘを境界として、シュリンクフィルム２０は、耐圧容器側フィルム２０ａと噴射ボタン側フィルム２０ｂとに分画されている。シュリンクフィルム２０で被覆されたエアゾール缶１０から当該シュリンクフィルム２０を剥離する場合において、ミシン目Ｘに沿って噴射ボタン側フィルム２０ｂのみを剥離すれば、噴射ボタン１０ｂを露出させることができる。この場合、耐圧容器１０ａの表面には耐圧容器側フィルム２０ａがまだ残っているため、広告情報を耐圧容器側フィルム２０ａに印刷しておけば、広告情報が消失することはなく、殺虫エアゾール製品１０２を使用しながら確認することができる。一方、噴射ボタン側フィルム２０ｂを剥離した後に耐圧容器側フィルム２０ａについても剥離すれば、あるいは耐圧容器側フィルム２０ａ及び噴射ボタン側フィルム２０ｂを同時に剥離すれば、エアゾール缶１０の側面の落ち着いたデザインが現れる。このように、耐圧容器側フィルム２０ａをさらに剥離するか否かを選択することで、広告情報を好む消費者／好まない消費者の両方のニーズに応えることができる製品となる。
【００４７】
＜構成例＞
次に、本発明の容器入り製品の構成例を説明する。なお、これらの構成例は、図１及び図２に示した第一実施形態に係る容器入り製品（殺虫エアゾール製品）１００の構成に基づくものであるが、図３及び図４に示した第二実施形態に係る容器入り製品１０１、及び図５に示した第三実施形態１０２に係る容器入り製品においても同様の構成を採用することができる。また、製品形態については、本明細書で説明するエアゾール製品の他に、スプレー製品、ボトル製品、缶製品などの他の製品にも適用可能である。
【００４８】
〔構成例１〕
図６は、構成例１に係る殺虫エアゾール製品の側面の分解展開図である。構成例１では、シュリンクフィルム２０に印刷されている広告情報２１には、害虫であるゴキブリの図柄、並びに商品名及び製造者情報が含まれている。一方、エアゾール缶１０に印刷されている図柄等表示情報１２には、図柄（ジグザグ状の幾何学模様）の他に、シュリンクフィルム２０に印刷されている広告情報２１に含まれる文字と同様の文字（商品名、製造者情報）が含まれている。ここで、図柄等表示情報１２に含まれる文字は、広告情報２１に含まれる文字よりも小さく構成されている。このような構成のため、構成例１では、エアゾール缶１０からシュリンクフィルム２０を剥離した場合、図柄等表示情報１２に含まれる文字があまり目立たず、殺虫エアゾール製品のデザイン性を損なうことがない。従って、消費者は、好みや室内空間の雰囲気に応じてシュリンクフィルム２０を剥離することで、製品表示情報が表示された状態のまま、調和した環境で殺虫エアゾール製品を使用することができる。
【００４９】
〔構成例２〕
図７は、構成例２に係る殺虫エアゾール製品の側面の分解展開図である。構成例２では、シュリンクフィルム２０に印刷されている広告情報２１には、害虫であるゴキブリの図柄、並びに商品名及び製造者情報が含まれている。一方、エアゾール缶１０に印刷されている図柄等表示情報１２には、ゴキブリの図柄は含まれておらず、代わりにストライプ柄の落ち着いた模様が含まれている。構成例２では、エアゾール缶１０からシュリンクフィルム２０を剥離すると、広告情報２１に含まれるゴキブリの図柄が消失するとともに、図柄等表示情報１２に含まれるストライプ柄が出現することで、落ち着いた雰囲気を醸し出すことができる。従って、消費者は、製品表示情報が表示された状態のまま、好みや室内空間の雰囲気に応じてシュリンクフィルム２０を剥離し、調和した環境で殺虫エアゾール製品を使用することができる。
【００５０】
〔構成例３〕
図８は、構成例３に係る殺虫エアゾール製品の側面の分解展開図である。構成例３では、シュリンクフィルム２０に印刷されている広告情報２１には、害虫であるゴキブリの図柄、並びに商品名及び製造者情報が含まれている。一方、エアゾール缶１０に印刷されている図柄等表示情報１２には、ゴキブリの図柄及び水玉柄の模様が含まれている。ただし、図柄等表示情報１２に含まれるゴキブリの図柄は、広告情報２１に含まれるゴキブリの図柄よりも小さいサイズに構成されている。このような構成のため、構成例３では、エアゾール缶１０からシュリンクフィルム２０を剥離すると、広告情報２１に含まれるゴキブリの図柄が消失するとともに、図柄等表示情報１２に含まれるゴキブリの図柄及び水玉柄が出現することになる。ここで、図柄等表示情報１２に含まれるゴキブリの図柄は、十分に小さく周囲の水玉柄と調和したものとなっている。このため、消費者はゴキブリの図柄に嫌悪感を抱くことなく、デザインとして受け入れ易いものとなる。従って、消費者は、製品表示情報が表示された状態のまま、好みや室内空間の雰囲気に応じてシュリンクフィルム２０を剥離し、調和した環境で殺虫エアゾール製品を使用することができる。
【００５１】
＜別実施形態＞
本発明の容器入り製品は、製品表示情報が表示された状態のまま、消費者の好みや室内空間の雰囲気に合わせて製品のデザインを選択できるという本発明の趣旨を逸脱しない限り、様々な改変が可能である。以下、そのような改変例を別実施形態として説明する。
【００５２】
〔別実施形態１〕
容器入り製品１００において、シュリンクフィルム２０の透過領域２２は、透明ないし半透明に構成することで製品表示情報１１を視認可能とするものであるが、製品表示情報１１の視認性を妨げない程度であれば文字や図柄が印刷されていてもよい。例えば、透過領域２２に製品のロット番号を小さく印字しておけば、透過領域２２から視認できる製品表示情報１１には製造者情報が含まれているため、製造者への問い合わせが容易なものとなる。
【００５３】
〔別実施形態２〕
容器入り製品１００において、シュリンクフィルム２０の透過領域２２には、肉眼では見えないが赤外線等で読み取り可能な文字や図柄等の情報を印刷しておくことも可能である。この場合、製品の出荷前の検査等に当該情報を利用することができる。
【００５４】
〔別実施形態３〕
容器入り製品１００において、シュリンクフィルム２０の透過領域２２は、当該シュリンクフィルム２０の一部を取り除いたものであってもよい。すなわち、容器本体１０の製品表示情報１１が露出した状態とすることも可能である。この場合、消費者は製品表示情報１１を確実に視認することができる。また、シュリンクフィルム２０が取り除かれた部分に僅かな段差が生じるため、この段差に爪を掛けてシュリンクフィルム２０を取り外し易くなる。
【００５５】
〔別実施形態４〕
容器入り製品１００〜１０２において、シュリンクフィルム２０の広告情報２１は、容器本体１０の図柄等表示情報１２と重なった状態で当該図柄等表示情報１２と合わせて広告機能を発揮するように構成することも可能である。例えば、容器入り製品１００がハチ用の殺虫エアゾールである場合、図柄等表示情報１２が花柄を含み、広告情報２１を透明な領域の中にハチの図柄を印刷したものとすれば、容器本体１０がシュリンクフィルム２０で被覆されている状態ではハチが花畑を飛び回っているかのようなイラストとなって消費者の注目を惹くこととなり、容器本体１０からシュリンクフィルム２０を剥離すると花柄のみとなって落ち着いた雰囲気を醸し出すことができる。
【産業上の利用可能性】
【００５６】
本発明は、殺虫エアゾールなどの害虫防除製品の容器に利用できるものであるが、その他の用途として、酒類、飲料、調味料などの食品用容器、乳液、保湿液等の化粧品用容器、シャンプー、洗剤等の日用品用容器などにも利用可能である。
【符号の説明】
【００５７】
１０      エアゾール缶（容器本体）
１０ａ    耐圧容器（貯留部）
１０ｂ    噴射ボタン（放出部）
１１      製品表示情報
１２      図柄等表示情報
２０      シュリンクフィルム
２０ａ    耐圧容器側フィルム２０ａ
２０ｂ    噴射ボタン側フィルム２０ｂ
２１      広告情報
２２      透過領域
２３      製品表示情報
１００    殺虫エアゾール製品（第一実施形態に係る容器入り製品）
１０１    殺虫エアゾール製品（第二実施形態に係る容器入り製品）
１０２    殺虫エアゾール製品（第三実施形態に係る容器入り製品）
Ｘ        ミシン目
Ｙ        垂線
【図１】
2019206396.tif 000003
【図２】
2019206396.tif 000004
【図３】
2019206396.tif 000005
【図４】
2019206396.tif 000006
【図５】
2019206396.tif 000007
【図６】
2019206396.tif 000008
【図７】
2019206396.tif 000009
【図８】
2019206396.tif 000010